(57)【要約】  空気調和機は、圧縮機、凝縮器、膨張部、レシーバ及び蒸発器が配管により接続され、冷媒が流れる冷媒回路を備え、配管は、レシーバの内部の中央に設けられ、圧縮機に吸入される冷媒が内部に流れ、内部の冷媒とレシーバに貯められた冷媒との間で熱交換を行う熱交換管と、レシーバの内部に挿入されるレシーバ配管と、を有し、レシーバ配管は、一端が凝縮器に接続されると共に、他端がレシーバの内部において熱交換管の外周側に挿入され、レシーバに冷媒を流入する流入配管を有し、流入配管の他端は、熱交換管を中心とした円周に沿うように延びている。
2021014566.tif 000002
【特許請求の範囲】
【請求項１】
圧縮機、凝縮器、膨張部、レシーバ及び蒸発器が配管により接続され、冷媒が流れる冷媒回路を備え、
前記配管は、
前記レシーバの内部の中央に設けられ、前記圧縮機に吸入される冷媒が内部に流れ、内部の冷媒と前記レシーバに貯められた冷媒との間で熱交換を行う熱交換管と、
前記レシーバの内部に挿入されるレシーバ配管と、を有し、
前記レシーバ配管は、
一端が前記凝縮器に接続されると共に、他端が前記レシーバの内部において前記熱交換管の外周側に挿入され、前記レシーバに冷媒を流入する流入配管を有し、
前記流入配管の他端は、
前記熱交換管を中心とした円周に沿うように延びている
空気調和機。
【請求項２】
前記レシーバ配管は、
一端が前記レシーバの内部において前記熱交換の外周側に挿入されると共に、他端が前記蒸発器に接続され、前記レシーバから冷媒を流出する流出配管を更に有し、
前記流出配管の一端は、
前記熱交換管を中心とした円周に沿うように延びている
請求項１に記載の空気調和機。
【請求項３】
前記レシーバ配管において、前記レシーバの内部に挿入された端部は、
斜めに形成されている
請求項１又は請求項２に記載の空気調和機。
【請求項４】
前記熱交換管は、
一端が前記蒸発器に接続され、他端が前記圧縮機に接続される吸入配管である
請求項１〜請求項３のいずれか１項に記載の空気調和機。
【請求項５】
前記熱交換管は、
前記レシーバの内部と前記圧縮機の吸入側に接続される吸入配管とを連通させ、内部を冷媒が流れると共に、下部に冷媒を減圧する減圧部が設けられたバイパス配管である
請求項１〜請求項３のいずれか１項に記載の空気調和機。
【発明の詳細な説明】
【技術分野】
【０００１】
本発明は、レシーバを備える空気調和機に関する。
【背景技術】
【０００２】
従来、余剰冷媒が蓄えられるレシーバが設けられた空気調和機が知られている。このような空気調和機において、レシーバは、凝縮器と蒸発器との間に設けられ、凝縮器から流入した冷媒を蓄えることで、空気調和機の負荷変動に応じて蒸発器を流れる冷媒量を調整するものである。また、これらの空気調和機のレシーバには、凝縮器から流入した冷媒に旋回流を形成させることで、気液分離装置として動作するものが存在する。【０００３】
特許文献１には、冷媒に旋回流を形成させることで気液分離装置として動作するレシーバの内部において、凝縮器から接続される配管の開口が液相の冷媒中に位置するように設けられている空気調和機が開示されている。特許文献１の空気調和機において、凝縮器から流れる冷媒は、液相の冷媒中に放出されることで、気化することが抑制される。特許文献１の空気調和機は、これにより、より多くの液相の冷媒を蒸発器に送り、熱交換効率を高めるようとするものである。
【先行技術文献】
【特許文献】
【０００４】
【特許文献１】特開２０１７−２０６６０号公報
【発明の概要】
【発明が解決しようとする課題】
【０００５】
しかしながら、特許文献１に開示された空気調和機のレシーバには、圧縮機に吸入される冷媒が流れ、内部の冷媒とレシーバに溜められた冷媒との間で熱交換を行う熱交換管が設けられていない。このため、レシーバ内部の冷媒が旋回して流れていても、レシーバから蒸発器側に流れる中温且つ中圧の冷媒は、熱交換管を流れる低温且つ低圧の冷媒と熱交換を行なわれず、乾き度が高い。したがって、特許文献１の空気調和機は、凝縮器における熱交換量を増加させることができず、冷凍サイクルの効率を向上させることができない。【０００６】
本発明は、上記のような課題を解決するためになされたもので、凝縮器における熱交換量を増加させることで、冷凍サイクルの効率を向上させる空気調和機を提供するものである。
【課題を解決するための手段】
【０００７】
本発明に係る空気調和機は、圧縮機、凝縮器、膨張部、レシーバ及び蒸発器が配管により接続され、冷媒が流れる冷媒回路を備え、配管は、レシーバの内部の中央に設けられ、圧縮機に吸入される冷媒が内部に流れ、内部の冷媒とレシーバに貯められた冷媒との間で熱交換を行う熱交換管と、レシーバの内部に挿入されるレシーバ配管と、を有し、レシーバ配管は、一端が凝縮器に接続されると共に、他端がレシーバの内部において熱交換管の外周側に挿入され、レシーバに冷媒を流入する流入配管を有し、流入配管の他端は、熱交換管を中心とした円周に沿うように延びている。
【発明の効果】
【０００８】
本発明によれば、レシーバに冷媒を流入する流入配管は、レシーバ内部に挿入され、熱交換管を中心とした円周に沿うように延びている。このため、レシーバの内部において、流入配管から流入する冷媒は、中央に設けられた熱交換管の周囲を旋回する。この際、冷媒が気相と液相とに分離し、液相の冷媒は、中央が凹んで外周が盛り上がった渦をなす。即ち、中温且つ中圧の気相冷媒が熱交換管に接触する面積が増大する。これにより、熱交換管の内部を流れる低温且つ低圧の冷媒とレシーバに貯蔵された中温且つ中圧の冷媒との熱交換が促進され、レシーバから蒸発器側に流れる冷媒は、乾き度が低くなる。このため、凝縮器における熱交換量が増加する。したがって、冷凍サイクルの効率を向上させることができる。
【図面の簡単な説明】
【０００９】
【図１】実施の形態１に係る空気調和機１００を示す回路図である。
【図２】実施の形態１に係るレシーバ１６を示す正面図である。
【図３】実施の形態１に係るレシーバ１６を示す上視図である。
【図４】実施の形態１に係るレシーバ１６を示す斜視図である。
【図５】実施の形態１に係るレシーバ１６を示す正面図である。
【図６】実施の形態１の比較例に係るレシーバ２１６を示す正面図である。
【図７】実施の形態１の比較例に係るレシーバ２１６を示す上視図である。
【図８】実施の形態２に係る空気調和機２００を示す回路図である。
【図９】実施の形態２に係るレシーバ１１６を示す正面図である。
【発明を実施するための形態】
【００１０】
実施の形態１．
以下、実施の形態１に係る空気調和機１００について、図面を参照しながら説明する。図１は、実施の形態１に係る空気調和機１００を示す回路図である。図１に示すように、空気調和機１００は、室外機１、室内機２及び冷媒配管３を有している。なお、図１では、１台の室内機２を例示しているが、室内機２の台数は、２台以上でもよい。
【００１１】
（室外機１、室内機２、冷媒配管３）
室外機１は、圧縮機１１、流路切替装置１２、室外熱交換器１３、室外送風機１４、膨張部１５及びレシーバ１６を有している。室内機２は、室内熱交換器２１及び室内送風機２２を有している。冷媒配管３は、圧縮機１１、流路切替装置１２、室外熱交換器１３、膨張部１５、レシーバ１６及び室内熱交換器２１を接続すると共に、内部に冷媒が流れることで冷媒回路４を構成するものである。冷媒配管３は、熱交換管３１及びレシーバ配管３２を有する。
【００１２】
（圧縮機１１）
圧縮機１１は、低温且つ低圧の状態の冷媒を吸入し、吸入した冷媒を圧縮して高温且つ高圧の状態の冷媒にして吐出するものである。圧縮機１１は、例えば、インバータ（図示せず）により周波数が制御されるモータ（図示せず）によって駆動されるインバータ圧縮機である。
【００１３】
（流路切替装置１２）
流路切替装置１２は、冷媒回路４において、冷媒の流通方向を切り替えるものであり、例えば四方弁である。流路切替装置１２は、冷房運転時には、圧縮機１１の吐出側と室外熱交換器１３とを接続すると共に、圧縮機１１の吸入側と室内熱交換器２１とを接続するものである。また、流路切替装置１２は、暖房運転時には、圧縮機１１の吐出側と室内熱交換器２１とを接続すると共に、圧縮機１１の吸入側と室外熱交換器１３とを接続するものである。なお、流路切替装置１２は、四方弁ではなく、複数の二方弁などを組み合わせることで、四方弁と同様の機能を持たせたものであってもよい。
【００１４】
（室外熱交換器１３、室外送風機１４）
室外熱交換器１３は、冷媒と室外空気との間で熱交換を行うものであり、例えばフィンアンドチューブ型熱交換器である。室外熱交換器１３は、冷房運転時には凝縮器として作用し、暖房運転時には蒸発器として作用する。室外送風機１４は、室外熱交換器１３に室外空気を送る機器である。
【００１５】
（膨張部１５）
膨張部１５は、冷媒を減圧して膨張させる減圧弁又は膨張弁である。本実施の形態１では、膨張部１５は、第一の膨張部４１及び第二の膨張部４２を有する。第一の膨張部４１は、一方が室外熱交換器１３に接続され、他方がレシーバ１６に接続されている。第二の膨張部４２は、一方がレシーバ１６に接続され、他方が室内熱交換器２１に接続されている。
【００１６】
（レシーバ１６）
レシーバ１６は、略円筒形をなしており、底面部５１、側面部５２及び上面部５３から構成される。底面部５１は、レシーバ１６の底面を構成する略円形の板状の部材である。側面部５２は、底面部５１の円周上から上方に延び、レシーバ１６の側面を構成する部材である。上面部５３は、側面部５２の上端に接続され、レシーバ１６の上面を覆う略円形の板状の部材である。レシーバ１６は、空気調和機１００の負荷変動に応じて増減する冷媒回路４中の余剰冷媒を蓄える容器である。レシーバ１６は、前述のとおり、第一の膨張部４１と第二の膨張部４２との間に設けられている。なお、レシーバ１６は、室外機１ではなく、室内機２に設けられたり、室外機１及び室内機２とは別の機器に設けられたりしてもよい。
【００１７】
（室内熱交換器２１、室内送風機２２）
室内熱交換器２１は、室内空気と冷媒との間で熱交換を行うものである。室外熱交換器１３は、冷房運転時には蒸発器として作用し、暖房運転時には凝縮器として作用する。室内送風機２２は、室内熱交換器２１に室内空気を送る機器であり、例えば、クロスフローファンである。
【００１８】
（熱交換管３１）
図２は、実施の形態１に係るレシーバ１６を示す正面図である。図３は、実施の形態１に係るレシーバ１６を示す上視図である。熱交換管３１は、一端が蒸発器に接続され、他端が圧縮機１１の吸入側に接続されると共に、圧縮機１１に吸入される冷媒が内部に流れる吸入配管である。図２及び図３に示すように、熱交換管３１は、一部がレシーバ１６の内部の中央に位置するようにレシーバ１６の上面部５３を通してレシーバ１６の内部に引き込まれている。レシーバ１６内部に引き込まれた熱交換管３１の内部には、圧縮機１１に吸入される冷媒が流れ、熱交換管３１は、内部を流れる冷媒とレシーバ１６に貯められた冷媒との間で熱交換を行う。
【００１９】
（冷房運転）
ここで、空気調和機１００の動作について説明する。先ず、冷房運転について説明する。冷房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室外熱交換器１３に流入する。室外熱交換器１３に流入した冷媒は、室外送風機１４によって送られる室外空気と熱交換されて凝縮し、液化する。液状態の冷媒は、第一の膨張部４１に流入し、減圧及び膨張されて、中温且つ中圧の気液二相状態の冷媒となる。中温且つ中圧の冷媒は、レシーバ１６に流入して貯留される。
【００２０】
貯留された冷媒は、熱交換管３１を流れる低温の冷媒と熱交換することで乾き度が低くなり、レシーバ１６から流出する。乾き度が低くなった冷媒は、第二の膨張部４２に流入し、減圧される。減圧された冷媒は、蒸発器として作用する室内熱交換器２１に流入する。室内熱交換器２１に流入した冷媒は、室内送風機２２によって送られる室内空気と熱交換されて蒸発し、ガス化する。その際、室内空気が冷却されて室内における冷房が実施される。その後、蒸発した低温且つ低圧のガス状態の冷媒は、流路切替装置１２を通過して、熱交換管３１を流れる。熱交換管３１を流れる低温且つ低圧の冷媒は、レシーバ１６に貯留された中温且つ中圧の冷媒と熱交換され、過熱度が上昇する。過熱度が上昇した冷媒は、圧縮機１１に吸入される。
【００２１】
（暖房運転）
次に、暖房運転について説明する。暖房運転において、圧縮機１１に吸入された冷媒は、圧縮機１１によって圧縮されて高温且つ高圧のガス状態で吐出される。圧縮機１１から吐出された高温且つ高圧のガス状態の冷媒は、流路切替装置１２を通過して、凝縮器として作用する室内熱交換器２１に流入する。室内熱交換器２１に流入した冷媒は、室内送風機２２によって送られる室内空気と熱交換されて凝縮し、液化する。その際、室内空気が温められて、室内における暖房が実施される。液状態の冷媒は、第二の膨張部４２に流入し、減圧及び膨張されて、中圧且つ中温の気液二相状態の冷媒となる。中圧且つ中温の冷媒は、レシーバ１６に流入して貯留される。
【００２２】
貯留された冷媒は、レシーバ１６の内部において、熱交換管３１を流れる低温の冷媒と熱交換することで乾き度が低くなり、レシーバ１６から流出する。乾き度が低くなった冷媒は、第一の膨張部４１に流入し、減圧される。減圧された冷媒は、蒸発器として作用する室外熱交換器１３に流入する。室外熱交換器１３に流入した冷媒は、室外送風機１４によって送られる室外空気と熱交換されて蒸発し、ガス化する。その後、蒸発した低温且つ低圧のガス状態の冷媒は、流路切替装置１２を通過して、熱交換管３１を流れる。熱交換管３１を流れる低温且つ低圧の冷媒は、レシーバ１６に貯留された中温且つ中圧の冷媒と熱交換され、過熱度が上昇する。過熱度が上昇した冷媒は、圧縮機１１に吸入される。
【００２３】
（レシーバ配管３２）
レシーバ配管３２は、レシーバ１６に接続される管であり、流入配管４３及び流出配管４４を有する。流入配管４３は、一端４３ａが凝縮器に接続されると共に、他端４３ｂが上面部５３を通してレシーバ１６の内部に挿入され、レシーバ１６に冷媒を流入する管である。流入配管４３の他端４３ｂは、熱交換管３１の外周側且つ底面部５１付近に位置し、熱交換管３１を中心とした円周Ｃに沿うように屈曲している。このため、流入配管４３から流入した冷媒は、図３の矢印Ｄ方向に流れる。なお、流入配管４３の他端４３ｂは、円周Ｃに沿うように延びていればよく、例えば、側面部５２から挿入され、屈曲せずに延びていてもよい。
【００２４】
図４は、実施の形態１に係るレシーバ１６を示す斜視図である。図４で示すように、流入配管４３の他端４３ｂは、レシーバ１６の側面部５２側が長くなるように斜めに形成されている。なお、流入配管４３の他端４３ｂの形状は、流入配管４３が延びる方向に流れる冷媒が導かれるように形成されていれば、レシーバ１６の側壁側が長くなるように斜めに形成されていなくてもよい。更に、流入配管４３の他端４３ｂは、斜めに形成されてなくてもよい。この場合は、流入配管４３の製造にあたり、形成性が向上する。
【００２５】
流出配管４４は、一端４４ａがレシーバ１６の上面部５３を通してレシーバ１６の内部に挿入されると共に、他端４４ｂが蒸発器に接続され、レシーバ１６から冷媒を流出する。流出配管４４の一端４４ａは、熱交換管３１の外周側且つ底付近に位置し、熱交換管３１を中心とした円周Ｃに沿うように、流入配管４３の他端４４ｂと同一周方向に屈曲している。なお、流出配管４４の他端４４ｂは、円周Ｃに沿うように延びていればよく、例えば、側面部５２から挿入され、屈曲せずに延びていてもよい。
【００２６】
また、流出配管４４の一端４４ａは、レシーバ１６の内部において熱交換管３１の外周側に位置するように挿入されていなくてもよく、例えば、熱交換管３１の直下に位置するように、レシーバ１６の底面に挿入されていてもよい。また、更に、流出配管４４の他端４４ｂは、流入配管４３の他端４３ｂと同一周方向に延びていなくてもよく、例えば、流入配管４３と対向する周方向に延びていてもよい。これらの場合、レシーバ１６に貯留された冷媒は、より円滑に流出する。
【００２７】
また、図４に示すように、流出配管４４の一端４４ａは、斜めに形成されている。なお、流出配管４４の一端４４ａの形状は、斜めに形成されてなくてもよい。この場合は、流入配管４３の製造にあたり、形成性が向上する。なお、本実施の形態１では、冷房運転時における冷媒の流れを基準として、流入配管４３及び流出配管４４を命名しているが、暖房運転時には、冷媒は、流出配管４４から流入し、流入配管４３から流出する。
【００２８】
図５は、実施の形態１に係るレシーバ１６を示す正面図である。ここで、レシーバ１６の内部における冷媒の動きについて、図５を用いて説明する。流入配管４３から流入する冷媒は、レシーバ１６の内部において、中央に設けられた熱交換管３１の周囲をＶ方向に旋回する。この際、冷媒が気相と液相とに分離し、液相の冷媒は、中央が凹んで外周が盛り上がった、例えば、放物線Ｐ状の渦をなす。即ち、レシーバ１６の内部は、中心部Ｏを気相の冷媒が占め、その下方且つ外周側を液相の冷媒が占めるような様相を呈する。
【００２９】
本実施の形態１によれば、レシーバ１６に冷媒を流入する流入配管４３は、レシーバ１６の内部に挿入され、熱交換管３１を中心とした円周Ｃに沿うように延びている。このため、レシーバ１６の内部において、流入配管４３から流入する冷媒は、中央に設けられた熱交換管３１の周囲を旋回する。この際、冷媒が気相と液相とに分離し、液相の冷媒は、中央が凹んで外周が盛り上がった渦をなす。即ち、中温且つ中圧の気相冷媒が熱交換管３１に接触する面積が増大する。これにより、熱交換管３１の内部を流れる低温且つ低圧の冷媒とレシーバ１６に貯蔵された中温且つ中圧の冷媒との熱交換が促進され、レシーバ１６から蒸発器側に流れる冷媒は、乾き度が低くなる。このため、凝縮器における熱交換量が増加する。したがって、冷凍サイクルの効率を向上させることができる。なお、この際に、レシーバ１６から蒸発器側に流れる冷媒が失ったエンタルピは、熱交換管３１の内部を流れる冷媒に移動するため、冷凍サイクル全体では熱量が維持されている。
【００３０】
更に、液相の冷媒は、中央が凹んで外周が盛り上がった渦をなす。即ち、レシーバ１６の内部の冷媒の高さは、側面部５２側が高くなる。このため、レシーバ１６の内部に貯留された液相の冷媒が少ない場合においても、流出配管４４の一端４４ａは、液相の冷媒中に位置している。したがって、流出配管４４は、液相の冷媒を確実にレシーバ１６から流出させることができる。
【００３１】
また、本実施の形態１によれば、流出配管４４の一端４４ａは、レシーバ１６の内部において、熱交換管３１の外周側に位置するように挿入され、熱交換管３１を中心とした円周Ｃに沿うように延びている。このため、流入配管４３及び流出配管４４に接続された室外熱交換器１３及び室内熱交換器２１のそれぞれが凝縮器又は蒸発器のいずれとして機能する場合であっても、レシーバ１６に流入する冷媒は、中央に設けられた熱交換管３１の周囲を旋回する。したがって、レシーバ１６は、冷房運転及び暖房運転に兼用することができる。
【００３２】
また、本実施の形態１によれば、流入配管４３の他端４３ｂは、レシーバ１６の側壁側が長くなるように斜めに形成されている。これにより、レシーバ１６の内部において、流入配管４３から流れる冷媒は、より勢いよく熱交換管３１の周囲を旋回する。このため、液相の冷媒が形成する渦は、より大きく中央が凹んで外周が盛り上がった渦をなす。即ち、中圧の気相の冷媒が熱交換管３１に接触する面積は、更に増大する。これにより、熱交換管３１の内部を流れる低温且つ低圧の冷媒とレシーバ１６に貯蔵された中温且つ中圧の冷媒との熱交換がより促進され、レシーバ１６から蒸発器側に流れる冷媒は、更に乾き度が低くなる。このため、凝縮器における熱交換量がより増加する。したがって、冷凍サイクルの効率を更に向上させることができる。
【００３３】
更に、流出配管４４の一端４４ａは、斜めに形成されている。このため、流出配管４４の一端４４ａに形成されている開口は、断面積が大きくなる。したがって、流出配管４４の一端４４ａには、液相の冷媒が流れ込み易く、流出配管４４は、液相の冷媒を確実にレシーバ１６から流出させることができる。
【００３４】
図６は、実施の形態１の比較例に係るレシーバ２１６を示す正面図である。図７は、実施の形態１の比較例に係るレシーバ２１６を示す上視図である。ここで、本実施の形態１のレシーバ１６を比較例のレシーバ２１６と比較して説明する。図６及び図７に示すように、流入配管２４３の他端２４３ｂ及び流出配管２４４の一端２４４ａは、レシーバ２１６の上面部５３を通して挿入され、そのまま下方に延びている。即ち、流入配管４３の他端２４３ｂ及び流出配管４４の一端２４４ａは、熱交換管３１を中心とした円周Ｃに沿うように延びていない。このため、流入配管２４３から流入した冷媒は、図７の矢印Ｅ方向に流れる。その際に、冷媒は、レシーバ２１６の内部において自然対流となるため、液相の冷媒が液面Ｌに留まり、熱交換管３１の周囲を旋回しない。即ち、中圧の気相の冷媒が熱交換管３１に接触する面積は、増大しない。したがって、熱交換の内部を流れる冷媒とレシーバ２１６に溜められた冷媒との間での熱交換は促進されない。
【００３５】
これに対し、本実施の形態１によれば、レシーバ１６に冷媒を流入する流入配管４３は、レシーバ１６の内部に挿入され、熱交換管３１を中心とした円周Ｃに沿うように延びている。このため、レシーバ１６の内部において、流入配管４３から流入する冷媒は、中央に設けられた熱交換管３１の周囲を旋回する。この際、冷媒が気相と液相とに分離し、液相の冷媒は、中央が凹んで外周が盛り上がった渦をなす。即ち、中圧の気相の冷媒が熱交換管３１に接触する面積が増大する。これにより、熱交換管３１の内部を流れる低温且つ低圧の冷媒とレシーバ１６に貯蔵された中温且つ中圧の冷媒との熱交換が促進され、レシーバ１６から蒸発器側に流れる冷媒は、乾き度が低くなる。このため、凝縮器における熱交換量が増加する。したがって、冷凍サイクルの効率を向上させることができる。
【００３６】
実施の形態２．
図８は、実施の形態２に係る空気調和機２００を示す回路図である。図９は、実施の形態２に係るレシーバ１１６を示す正面図である。図８及び図９に示すように、本実施の形態２において、熱交換管１３１は、レシーバ１１６の内部と吸入配管１８１を連通させるバイパス配管である点で、実施の形態１と相違する。本実施の形態２では、実施の形態１と同一の部分は同一の符号を付して説明を省略し、実施の形態１との相違点を中心に説明する。
【００３７】
（吸入配管１８１、熱交換管１３１）
吸入配管１８１は、実施の形態１と異なり、レシーバ１１６の内部に引き込まれていない。熱交換管１３１は、レシーバ１１６の内部と吸入配管１８１を連通させ、内部を冷媒が流れるバイパス配管である。熱交換管１３１の内部には、圧縮機１１に吸入される冷媒が流れ、熱交換管１３１は、内部を流れる冷媒とレシーバ１１６に貯められた冷媒との間で熱交換を行う。熱交換管１３１の下部には、冷媒を減圧する減圧部１８２が設けられている。減圧部１８２は、例えば、オリフィス又は減圧弁等である。
【００３８】
（冷房運転、暖房運転）
ここで、空気調和機２００の動作について、実施の形態１と異なる点を中心に説明する。冷房運転時及び暖房運転時のいずれの際においても、レシーバ１１６に貯留された液相の冷媒の一部は、熱交換管１３１の減圧部１８２を通って、減圧されつつ、図９の矢印Ｆ方向に汲み上げられる。この際に、熱交換管１３１を流れる低温且つ低圧の冷媒は、レシーバ１１６の内部において、熱交換管１３１の外側の中温且つ中圧の気相の冷媒と熱交換する。液相の冷媒は、乾き度が低くなると共に、熱交換管１３１に汲み上げられた分の流量が減少し、残りの冷媒がレシーバ１１６から流出する。熱交換管１３１を流れる冷媒は、過熱度が上昇し、吸入配管１８１に合流する。吸入配管１８１に合流した冷媒は、圧縮機１１に吸入される。
【００３９】
本実施の形態２によれば、レシーバ１１６の内部において、流入配管４３から流入する冷媒は、中央に設けられた熱交換管１３１として機能するバイパス配管の周囲を旋回する。これにより、熱交換管１３１の内部を流れる低温且つ低圧の冷媒とレシーバ１１６に貯蔵された中温且つ中圧の冷媒との熱交換が促進され、レシーバ１１６から蒸発器側に流れる冷媒は、乾き度が低くなる。このため、凝縮器における熱交換量が増加する。したがって、冷凍サイクルの効率を向上させることができる。なお、この際に、レシーバ１１６から蒸発器側に流れる冷媒が失ったエンタルピは、熱交換管１３１の内部を流れる冷媒に移動されるため、冷凍サイクル全体として、熱量が維持されている。更に、レシーバ１１６から蒸発器側に流れる冷媒は、流量が減少している。したがって、空気調和機２００は、凝縮器における圧力損失を軽減することで、圧縮機１１の吸入圧力を上昇させ、冷凍サイクルの効率を更に向上させることができる。
【符号の説明】
【００４０】
１  室外機、２  室内機、３  冷媒配管、４  冷媒回路、１１  圧縮機、１２  流路切替装置、１３  室外熱交換器、１４  室外送風機、１５  膨張部、１６  レシーバ、２１  室内熱交換器、２２  室内送風機、３１  熱交換管、３２  レシーバ配管、４１  第一の膨張部、４２  第二の膨張部、４３  流入配管、４３ａ  一端、４３ｂ  他端、４４  流出配管、４４ａ  一端、４４ｂ  他端、１００  空気調和機、１１６  レシーバ、１３１  熱交換管、１８１  吸入配管、１８２  減圧部、２００  空気調和機、２１６  レシーバ、２４３  流入配管、２４３ａ  一端、２４３ｂ  他端、２４４  流出配管、２４４ａ  一端、２４４ｂ  他端。
【図１】
2021014566.tif 000003
【図２】
2021014566.tif 000004
【図３】
2021014566.tif 000005
【図４】
2021014566.tif 000006
【図５】
2021014566.tif 000007
【図６】
2021014566.tif 000008
【図７】
2021014566.tif 000009
【図８】
2021014566.tif 000010
【図９】
2021014566.tif 000011
【国際調査報告】
2021014566.tif 000012
2021014566.tif 000013
2021014566.tif 000014
2021014566.tif 000015